(57)【要約】【目的】本発明は、ＬＥＤ複合光線を利用し、植物の種類、短日性植物、中日性植物、長日性植物に合わせたＬＥＤの波長光線を有したＬＥＤ複合光線を利用し、植物育成することを目的とする。【解決の手段】本発明は、緑色光、黄色光、赤色光、青色光との複合光線を有する装置にて、夜間または、暗黒時に当該複合光線を当該植物に照射し植物種類別の植物育成制御する、ＬＥＤ複合光線利用の植物制御装置。【特許請求の範囲】
【請求項１】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は少であり、配列にては、当該緑色ＬＥＤに対して当該黄色ＬＥＤは、少なる配置割合を保持しつつ置き並べられて設置されている、緑色光線と黄色光線との複合光線を有する当該ＬＥＤ。
複合光線を有する当該ＬＥＤを一平面状に置き並べ、短日性植物、長日性植物、中日性植物に夜間又は、暗黒時に点灯照射させ、植物育成する為の、ＬＥＤ複合光線利用の植物制御装置。
【請求項２】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は少であり、配列にては、当該緑色ＬＥＤに対して当該黄色ＬＥＤは、少なる配置割合を保持しつつ置き並べられて設置されている、緑色光線と黄色光線との複合光線を有する当該ＬＥＤ。
複合光線を有する当該ＬＥＤと単独光線を有する緑色光線の当該緑色ＬＥＤとを一平面状に置き並べ、短日性植物、長日性植物、中日性植物に夜間又は、暗黒時に点灯照射させ、植物育成する為の、ＬＥＤ複合光線利用の植物制御装置。
【請求項３】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は少であり、配列にては、当該緑色ＬＥＤに対して当該黄色ＬＥＤは、少なる配置割合を保持しつつ置き並べられて設置されている、緑色光線と黄色光線との複合光線を有する当該ＬＥＤ。
複合光線を有する当該ＬＥＤと単独光線を有する青色光線の当該緑色ＬＥＤとを一平面状に置き並べ、短日性植物、長日性植物、中日性植物に夜間又は、暗黒時に点灯照射させ、植物育成する為の、ＬＥＤ複合光線利用の植物制御装置。
【請求項４】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は少であり、配列にては、当該緑色ＬＥＤに対して当該赤色ＬＥＤは、少なる配置割合を保持しつつ置き並べられて設置されている、緑色光線と赤色光線との複合光線を有する当該ＬＥＤ。
複合光線を有する当該ＬＥＤを一平面状に置き並べ、中日性植物に夜間又は、暗黒時に点灯照射させ、植物育成する為の、ＬＥＤ複合光線利用の植物制御装置。
【請求項５】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は少であり、配列にては、当該緑色ＬＥＤに対して当該赤色ＬＥＤは、少なる配置割合を保持しつつ置き並べられて設置されている、緑色光線と赤色光線との複合光線を有する当該ＬＥＤ。
複合光線を有する当該ＬＥＤと単独光線を有する緑色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項６】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は少であり、配列にては、当該緑色ＬＥＤに対して当該赤色ＬＥＤは、少なる配置割合を保持しつつ置き並べられて設置されている、緑色光線と赤色光線との複合光線を有する当該ＬＥＤ。
複合光線を有する当該ＬＥＤと単独光線を有する青色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項７】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は５％以下であり、配列にては、当該緑色ＬＥＤに対して当該黄色ＬＥＤは、５％以下なる配置割合を保持しつつ置き並べられて設置されている、緑色光線と黄色光線との複合光線を有する当該ＬＥＤ。
複合光線を有する当該ＬＥＤを一平面状に置き並べ、短日性植物、長日性植物、中日性植物に夜間又は、暗黒時に点灯照射させ、植物育成する為の、ＬＥＤ複合光線利用の植物制御装置。
【請求項８】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は５％以下であり、配列にては、当該緑色ＬＥＤに対して当該黄色ＬＥＤは、５％以下なる配置割合を保持しつつ置き並べられて設置されている、緑色光線と黄色光線との複合光線を有する当該ＬＥＤ。
複合光線を有する当該ＬＥＤと単独光線を有する緑色光線の当該緑色ＬＥＤとを一平面状に置き並べ、短日性植物、長日性植物、中日性植物に夜間又は、暗黒時に点灯照射させ、植物育成する為の、ＬＥＤ複合光線利用の植物制御装置。
【請求項９】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は５％以下であり、配列にては、当該緑色ＬＥＤに対して当該黄色ＬＥＤは、５％以下なる配置割合を保持しつつ置き並べられて設置されている、緑色光線と黄色光線との複合光線を有する当該ＬＥＤ。
複合光線を有する当該ＬＥＤと単独光線を有する青色光線の当該緑色ＬＥＤとを一平面状に置き並べ、短日性植物、長日性植物、中日性植物に夜間又は、暗黒時に点灯照射させ、植物育成する為の、ＬＥＤ複合光線利用の植物制御装置。
【請求項１０】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は５％以下であり、配列にては、当該緑色ＬＥＤに対して当該赤色ＬＥＤは、５％以下なる配置割合を保持しつつ置き並べられて設置されている、緑色光線と赤色光線との複合光線を有する当該ＬＥＤ。
複合光線を有する当該ＬＥＤを一平面状に置き並べ、中日性植物に夜間又は、暗黒時に点灯照射させ、植物育成する為の、ＬＥＤ複合光線利用の植物制御装置。
【請求項１１】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は５％以下であり、配列にては、当該緑色ＬＥＤに対して当該赤色ＬＥＤは、５％以下なる配置割合を保持しつつ置き並べられて設置されている、緑色光線と赤色光線との複合光線を有する当該ＬＥＤ。
複合光線を有する当該ＬＥＤと単独光線を有する緑色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項１２】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は５％以下であり、配列にては、当該緑色ＬＥＤに対して当該赤色ＬＥＤは、５％以下なる配置割合を保持しつつ置き並べられて設置されている、緑色光線と赤色光線との複合光線を有する当該ＬＥＤ。
複合光線を有する当該ＬＥＤと単独光線を有する青色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項１３】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は５％以上１０％以下であり、配列にては、当該緑色ＬＥＤに対して当該黄色ＬＥＤは、５％以上１０％以下なる配置割合を保持しつつ置き並べられて設置されている、緑色光線と黄色光線との複合光線を有する当該ＬＥＤ。
複合光線を有する当該ＬＥＤを一平面状に置き並べ、中日性植物に夜間又は、暗黒時に点灯照射させ、植物育成する為の、ＬＥＤ複合光線利用の植物制御装置。
【請求項１４】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は５％以上１０％以下であり、配列にては、当該緑色ＬＥＤに対して当該黄色ＬＥＤは、５％以上１０％以下なる配置割合を保持しつつ置き並べられて設置されている、緑色光線と黄色光線との複合光線を有する当該ＬＥＤ。
複合光線を有する当該ＬＥＤと単独光線を有する緑色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項１５】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は５％以上１０％以下であり、配列にては、当該緑色ＬＥＤに対して当該黄色ＬＥＤは、５％以上１０％以下なる配置割合を保持しつつ置き並べられて設置されている、緑色光線と黄色光線との複合光線を有する当該ＬＥＤ。
複合光線を有する当該ＬＥＤと単独光線を有する青色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項１６】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は５％以上１０％以下であり、配列にては、当該緑色ＬＥＤに対して当該赤色ＬＥＤは、５％以上１０％以下なる配置割合を保持しつつ置き並べられて設置されている、緑色光線と赤色光線との複合光線を有する当該ＬＥＤ。
複合光線を有する当該ＬＥＤを一平面状に置き並べ、中日性植物に夜間又は、暗黒時に点灯照射させ、植物育成する為の、ＬＥＤ複合光線利用の植物制御装置。
【請求項１７】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は５％以上１０％以下であり、配列にては、当該緑色ＬＥＤに対して当該赤色ＬＥＤは、５％以上１０％以下なる配置割合を保持しつつ置き並べられて設置されている、緑色光線と赤色光線との複合光線を有する当該ＬＥＤ。
複合光線を有する当該ＬＥＤと単独光線を有する緑色光線の当該緑色ＬＥＤとを一平面状に置き並べ、中日性植物に夜間又は、暗黒時に点灯照射させ、植物育成する為の、ＬＥＤ複合光線利用の植物制御装置。
【請求項１８】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は５％以上１０％以下であり、配列にては、当該緑色ＬＥＤに対して当該赤色ＬＥＤは、５％以上１０％以下なる配置割合を保持しつつ置き並べられて設置されている、緑色光線と赤色光線との複合光線を有する当該ＬＥＤ。
複合光線を有する当該ＬＥＤと単独光線を有する青色光線の当該緑色ＬＥＤとを一平面状に置き並べ、中日性植物に夜間又は、暗黒時に点灯照射させ，植物育成する為の、ＬＥＤ複合光線利用の植物制御装置。
【請求項１９】
所定数の緑色光線の緑色ＬＥＤと黄色光線の黄色ＬＥＤを配置，設置し、当該緑色ＬＥＤと当該黄色ＬＥＤを点灯、消灯や、調光をせしめ、複合光線の波長領域を調整可能にした、請求項１、請求項２、請求項３記載のＬＥＤ複合光線利用の植物制御装置。
【請求項２０】
所定数の緑色光線の緑色ＬＥＤと赤色光線の赤色ＬＥＤを配置、設置し、当該緑色ＬＥＤと当該赤色ＬＥＤを点灯、消灯や、調光をせしめ、複合光線の波長領域を調整可能にした、請求項４、請求項５、請求項６記載のＬＥＤ複合光線利用の植物制御装置。
【請求項２１】
所定数の緑色光線の緑色ＬＥＤと黄色光線の黄色ＬＥＤを配置、設置した、当該複合光線を有するＬＥＤである。
当該黄色ＬＥＤの黄色光線のみにて当該複合光線を有するＬＥＤを調光可能にした。
当該緑色光線の緑色ＬＥＤと当該黄色光線の黄色ＬＥＤを配置、設置した当該複合光線を有する。
当該複合光線を有するＬＥＤの緑色光線の緑色ＬＥＤと黄色光線の黄色ＬＥＤにて、当該黄色ＬＥＤの黄色光線のみにて当該ＬＥＤの複合光線を調光可能にし、波長領域の光を４６０ｎｍ〜６１０ｎｍ以内にてピーク波長が５１８ｎｍ付近を保持した。
当該複合光線の波長領域を当該黄色光線の黄色ＬＥＤのみにて調光をせしめ、調整可能にした。請求項１、請求項２、請求項３記載のＬＥＤ複合光線利用の植物制御装置。
【請求項２２】
所定数の緑色光線の緑色ＬＥＤと赤色光線の赤色ＬＥＤを配置、設置した、当該複合光線を有するＬＥＤである。
当該赤色ＬＥＤの赤色光線のみにて当該複合光線を有するＬＥＤを調光可能にした。
当該緑色光線の緑色ＬＥＤと当該赤色光線の赤色ＬＥＤを配置、設置した当該複合光線を有する。
当該複合光線を有するＬＥＤの緑色光線の緑色ＬＥＤと赤色光線の赤色ＬＥＤにて、当該赤色ＬＥＤの赤色光線のみにて当該ＬＥＤの複合光線を調光可能にし、波長領域の光を４６０ｎｍ〜７００ｎｍ以内にてピーク波長が５１８ｎｍ付近を保持した。
当該複合光線の波長領域を当該赤色光線の赤色ＬＥＤのみにて調光をせしめ、調整可能にした。請求項４、請求項５、請求項６記載のＬＥＤ複合光線利用の植物制御装置。
【請求項２３】
所定数の緑色光線の緑色ＬＥＤと青色光線の青色ＬＥＤを配置、設置した当該複合光線を有するＬＥＤである。
当該緑色光線の緑色ＬＥＤに対して当該青色光線の青色ＬＥＤは、少なる配置割合を保持しつつ置き並べられて設置されている、緑色光線と青色光線とを有する複合光線を有する当該ＬＥＤ。
当該青色ＬＥＤの青色光線のみにて当該複合光線を有するＬＥＤを調光可能にした。
当該複合光線を有するＬＥＤの緑色光線の緑色ＬＥＤと青色光線の青色ＬＥＤにて、当該青色ＬＥＤの青色光線のみにて当該ＬＥＤの複合光線を調光可能にし、波長領域の光を４２０ｎｍ〜６１０ｎｍ以内にてピーク波長が５１８ｎｍ付近を保持した。
当該複合光線の波長領域を当該青色光線の青色ＬＥＤのみにて調光をせしめ、調整可能にした、ＬＥＤ複合光線利用の植物制御装置。
【発明の詳細な説明】
【技術分野】
【０００１】本発明は、植物の葉体に夜間、暗黒時に緑色光、黄色光、赤色光の複合光線を照射しうる装置にて、花芽形成による影響を少にし、ＬＥＤ複合光線利用の植物制御装置に関する。
【背景技術】
【０００２】緑色蛍光灯の緑色光線利用の植物の栽培において、緑色蛍光灯自体の熱や、電気消費量等が植物の育成を妨げている。
植物の短日性植物や、長日性植物の特性に合わせて、緑色蛍光灯の緑色光線による波長領域のみにて、植物制御方法の処理技術には難点が多い。
しかるに、緑色ＬＥＤを複合光線にする事により、波長に変化を与えて、植物に合わせた特性の波長の必要性から生まれた技術に関する。
【発明が解決しようとする課題】
【０００３】ケルダール窒素増加効果を多く引き出すことが出来る、緑色蛍光灯の波長や光量による利点を有する。
且つ、当該ＬＥＤにて、緑色ＬＥＤ、黄色ＬＥＤ、赤色ＬＥＤ、青色ＬＥＤの波長や光量、光線色に置き換へ、花芽形成による影響を少にし、ＬＥＤ複合光線利用の植物制御装置に関する。
【課題を解決するための手段】
【０００４】特願２００９−１５２９２７
特願２００９−１６５１０５
特願２００９−２３１９４７
特願２０１３−２５９５８１
上記記載の文献にて光線利用にて葉体内にたんぱく質が増加していく事やフェノール物質増加が実証されている事が明記されている。
【０００５】植物の葉体内に本来植物に、当該ＬＥＤの緑色、赤色、黄色、青色の複合させた光線を夜間、又は暗黒時に長時間照射しうる装置にして、花芽形成への影響を少なくし、フェノール物質、ケルダール窒素との含有量の増加を促し、より効率良く、花数増加、株疲れ対策、うどんこ病、ダニ等の病害虫の防除に寄与し、当該ＬＥＤ複合光線を利用する植物制御装置。
【０００６】本発明によれば、当該ＬＥＤの緑色、黄色、赤色、青色の複合色光線を利用しうる装置にて夜間、又は暗黒時に照射し、フェノール物質を増加による、害虫駆除。
ケルダール窒素即ち、たんぱく質等を増加させながら、植物自体の植物の育成の制御ができる。
尚、当該植物の育成の抑制となる気象条件や害虫等の外的条件からのストレスをも和らげられることが出来得る、ケルダール窒素の増加による効果等、当該ＬＥＤ複合光線を利用する当該植物制御装置。
【０００７】しかし、植物の葉体内に、夜間又は、暗黒時に短時間照射後に、短期間に花芽形成を生じる状態になると、植物の葉体内の栄養濃度たるケルダール窒素を、夜間又は、暗黒時に当該植物に増加の為の、照射が出来なくなり、当該植物の葉体内の栄養濃度たるケルダール窒素を、豊富に増加を促すことが出来なくなる。
それ故に、安定した植物育成に大きな影響をもたらす悪条件になる。
上記記載の悪条件を解決するため植物の葉体内に夜間又は、暗黒時に長時間当該植物を照射可能にし、安定した植物育成方法。
すなわち、夜間又は暗黒時に、長時間照射により、ケルダール窒素を増加させる為に、長時間の照射時間に影響を与える事の無き植物育成、又花芽形成による影響の少なる、植物育成の為の、当該ＬＥＤ複合光線利用の植物制御装置。
【０００８】〈０００４〉項記載の特願２００９−１５２９２７の文献に、表１のデータ表示には、蛍光灯の照射により、緑色蛍光灯はケルダール窒素１４７ＰＰＭと表示されている。表２データ表示には、ＬＥＤの照射により、緑色ＬＥＤケルダール窒素１０８ＰＰＭとして表示されている事が、〈０００４〉項記載の特願２００９−１５２９２７の文献に明記されている。
【０００９】上記〈０００８〉項記載にて光線利用の光線の光源の緑色蛍光灯と緑色ＬＥＤの光源の違いによるケルダール窒素含有量の増加等の違いが実証されて、明記されている。
【００１０】当該植物の葉体内に前記記載の〈０００８〉項にて記載の如く、緑色蛍光灯と緑色ＬＥＤによるケルダール窒素の増加が表示されている。
【００１１】上記〈０００４〉項記載の特願２０１３−２５９５８１記載の、表３、表６にて表示。
表３によると，ＬＥＤ緑色単独光にて照射４０日後ケルダール窒素１１０ＰＰＭと表示されている。
表６によると、ＬＥＤ緑色と黄色の複合光にて照射４０日後ケルダール窒素１２０ＰＰＭと比較表示されている。
【００１２】緑色蛍光灯による光源と、緑色ＬＥＤの単独光源と、緑色ＬＥＤと黄色ＬＥＤとの複合光線による各光源にて、夜間又は暗黒時に、当該植物に照射しケルダール窒素の増加含有量の違いが、表示されている事が、〈０００８〉、〈０００９〉、〈００１０〉、〈００１１〉、項記載にて実証が明記されている。
花芽形成に影響を与える光線色とは、ＬＥＤの光線すなわち赤色光線、青色光線、黄色光線、緑色光線等を波長計や照度計にて測定した光線の光線色の事である。
省電力である当該ＬＥＤの緑色光線と黄色光線との複合光線の波長領域等にて、当該光線色等による変化を与え、当該ＬＥＤの緑色ＬＥＤと黄色ＬＥＤの設置、配置割合を変えるなどし、光線色や光量の変化にて花芽形成への影響や植物育成の変化を波長領域にて考察をした。
尚、ＬＥＤの電源、電圧は、１００Ｖ，２００Ｖ共通のうち、１００Ｖ、１０Ｗの消費電力を利用した。
【００１３】上記〈００１２〉項記載の省電力であるＬＥＤを主にして考察する理由は、〈０００４〉項記載の特願２００９−１５２９２７、特願２００９−１６５１０５、特願２００９−２３１９４７、にての緑色蛍光灯の消費電力は、２０Ｗを利用している。しかし、ＬＥＤの電気容量は、蛍光灯に比較し、省電力にて済む故に、ＬＥＤ１０Ｗを主として利用し、以下考察をした。
【００１４】それ故に、緑色光の緑色ＬＥＤと黄色光の黄色ＬＥＤが配置、設置さている、緑色光と黄色光の複合光線を有する当該ＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されているＬＥＤの照明装置である。
【００１５】上記〈００１４〉項、記載のＬＥＤの照明装置は、緑色光の緑色ＬＥＤに対して黄色光の黄色ＬＥＤの配置、設置割合は５％を保持し、配列にては、当該緑色ＬＥＤに対して当該黄色ＬＥＤは、５％配置割合を保持しつつ数回繰り返し置き並べられて設置されている当該ＬＥＤ装置であり、複合光線の波長は、ＬＥＤ分光放射測定器にて測定し、表２にて表示した。
【００１６】次に上記〈００１４〉項、記載のＬＥＤの照明装置は、緑色光の緑色ＬＥＤに対して黄色光の黄色ＬＥＤの配置、設置割合は１０％を保持し、配列にては、当該緑色ＬＥＤに対して当該黄色ＬＥＤは、１０％配置割合を保持しつつ数回繰り返し置き並べられて設置されている当該ＬＥＤ装置であり、複合光線の波長は、ＬＥＤ分光放射測定器にて測定し、表３にて表示した。
【００１７】又、緑色光の緑色ＬＥＤ単独光線である、ＬＥＤの波長は、ＬＥＤ分光放射測定器にて測定し、表１にて表示した。
【００１８】又、緑色蛍光灯の緑色光線の波長は、ＬＥＤ分光放射測定器にて測定し、表４にて表示した。
【００１９】又、自然光線を減少または、遮断した状態にて育成植物の上面１ｍの高さからデジタルマルチメーターの照度計にて照度を測定し、下記〈００２０〉、〈００２１〉、〈００２２〉、〈００２３〉、〈００２４〉、〈００２５〉、〈００２６〉項にて表示した。
【００２０】〈００１５〉項、記載の当該ＬＥＤの照明装置は、緑色光の当該緑色ＬＥＤに対して黄色光の当該黄色ＬＥＤの配置、設置割合は５％を保持し、配列にては、当該緑色ＬＥＤに対して当該黄色ＬＥＤは、５％配置割合を保持しつつ数回繰り返し置き並べられて設置されている当該ＬＥＤ装置であり、波長はＬＥＤ分光放射測定器にて測定し表２にて表示した。
照度は照度計にて測定し２８２ＬＵＸであつた。
【００２１】〈００１６〉項、記載の当該ＬＥＤの照明装置は、緑色光の当該緑色ＬＥＤに対して黄色光の当該黄色ＬＥＤの配置、設置割合は１０％を保持し、配列にては、当該緑色ＬＥＤに対して当該黄色ＬＥＤは、１０％配置割合を保持しつつ数回繰り返し置き並べられて設置されている当該ＬＥＤ装置であり、波長はＬＥＤ分光放射測定器にて測定し表３にて表示した。
照度は照度計にて測定し２９７ＬＵＸであった。
【００２２】〈００１７〉項、記載の緑色光の緑色ＬＥＤ単独光線であり、波長はＬＥＤ分光放射測定器にて測定し表１にて表示した。
照度は照度計にて測定し２２８ＬＵＸであった。
【００２３】〈００１８〉記載の緑色蛍光灯による緑色の光線である緑色蛍光灯の波長はＬＥＤ分光放射測定器にて測定し表４にて表示した。
照度は照度計にて測定し２４８ＬＵＸであった。
【００２４】表１の緑色ＬＥＤ単独光線であり照度は、２２８ＬＵＸのＬＥＤに黄色光の黄色ＬＥＤを緑色ＬＥＤに対して黄色光の黄色ＬＥＤの配置、設置割合は５％を保持し、配列にては、当該緑色ＬＥＤに対して当該黄色ＬＥＤは、５％配置割合を保持しつつ数回繰り返し置き並べられて設置されている当該ＬＥＤにすることにより、表２の如く波長は変化し、又照度は２８２ＬＵＸになった。
【００２５】又、表１の緑色ＬＥＤ単独光線であり照度は、２２８ＬＵＸのＬＥＤに黄色光の当該黄色ＬＥＤを当該緑色ＬＥＤに対して黄色光の当該黄色ＬＥＤの配置、設置割合は１０％を保持し、配列にては、当該緑色ＬＥＤに対して当該黄色ＬＥＤは、１０％配置割合を保持しつつ数回繰り返し置き並べられて設置されている当該ＬＥＤにすることにより、表３の如く波長は変化し、又照度は２９７ＬＵＸになった。
【００２６】緑色蛍光灯の緑色光の波長は、表４表示の如く、又、照度は２４８ＬＵＸであった。
〈００２４〉項記載、のＬＥＤの複合光にては、２８２ＬＵＸとなった。
〈００２５〉項記載のＬＥＤの複合光にては、２９７ＬＵＸとなった。
〈００２４〉、〈００２５〉項記載のＬＥＤの複合光は、緑色蛍光灯の照度２４８ＬＵＸよりも明るく変化した。又、〈００２２〉項、記載の緑色光の緑色ＬＥＤ単独光線の照度２２８ＬＵＸよりも明るく変化した。
【００２７】表１と表２を比較考察すると、表１の波長と表２の波長を比較する。
表１の波長域が４６０ｎｍ〜５６０ｎｍの緑色領域が表１のＬ０である。
表１の波長域が５６０ｎｍ〜６１０ｎｍの黄色領域が表１のＬ１である。
表２の波長域が４６０ｎｍ〜５６０ｎｍの緑色領域が表２のＬ０である。
表２の波長域が５６０ｎｍ〜６１０ｎｍの黄色領域が表２のＬ１である。
表１の波長域Ｌ１が表２の波長域Ｌ１の如くに、広がりの変化が生じた。
植物の開花維持の成育の成長範囲に広がりが生じたが、花芽形成の受けにくい波長の範囲であった。
表１の波長領域の６１０ｎｍ〜７６０ｎｍの赤色領域が表１のＬ２である。
表２の波長領域の６１０ｎｍ〜７６０ｎｍの赤色領域が表２のＬ２である。
しかし波長領域の６１０ｎｍ〜７６０ｎｍの赤色領域には、変化が無い。
しかるに、花芽形成の受けにくい波長の範囲であることがわかる。
【００２８】表１と表３を比較考察すると、表１の波長と表３の波長を比較する。
表１の波長域が４６０ｎｍ〜５６０ｎｍの緑色領域が表３のＬ０である。
表１の波長域が５６０ｎｍ〜６１０ｎｍの黄色領域が表１のＬ１である。
表１の波長領域が６１０ｎｍ〜７６０ｎｍの赤色領域が表１のＬ２である
表３の波長域が４６０ｎｍ〜５６０ｎｍの緑色領域が表３のＬ０である。
表３の波長域が５６０ｎｍ〜６１０ｎｍの黄色光の波長領域が表３のＬ１である。
表３の波長領域の６１０ｎｍ〜７６０ｎｍの赤色領域が表３のＬ２である
表１の波長域黄色Ｌ１が表３の黄色波長域Ｌ１表示の如くに、広がり変化が生じた。
表１の波長域赤色Ｌ２が表３の赤色波長域Ｌ２表示の如くに、広がり変化が生じた。
植物の開花維持の成育の成長範囲に広がり変化が生じた、又花芽形成の受けやすい波長の範囲に広がりが大きく変化が生じた。
表１の波長領域の６１０ｎｍ〜７６０ｎｍ  Ｌ２の赤色光の波長領域が、表３のＬ２にて大きく広がり変化が生じた。
表３の波長域表３のＬ１である、植物の開花維持の成育の範囲と、表３の波長域表３のＬ２である、花芽形成をもたらす範囲の波長と共に広がり大きく変化が生じた。
表３のＬ２は、花芽形成をもたらす赤色光の波長の範囲であり、表３の波長域表３のＬ２にまで大きく広がり、表１の波長が、表３の波長にと大きく変化した。
【００２９】〈００２７〉項記載表１と表２の波長を比較考察すると、表２の黄色の波長域、表２のＬ１は、黄色光の波長である５６０ｎｍ〜６１０ｎｍの波長領域、表２のＬ１である。
表１の黄色光の波長領域、表１のＬ１は、表２の黄色光の波長領域表２のＬ１に広がり変化が生じている。
植物育成の成長の範囲に広がり変化が生じているが、しかし花芽には大きく影響を与える赤色光線の領域は少ないのである。
それ故に、長日性植物、中日性植物、短日性植物に夜間又は、暗黒時に、表２の波長を有する波長を植物の上面から特に長時間照射し、ケルダール窒素を増加させ良質の植物の育成ができるようになった。
表２の有する波長は、花芽形成の影響は受けにくい範囲で、表２の有する波長にて、植物の種類別の長日性植物、中日性植物、短日性植物等に夜間又は、暗黒時に長時間照射による植物制御装置が出来る。
又、フェノール物質の含有量と、ケルダール窒素含有量をも葉体内に増加させ蓄積させて病虫害防除にも寄与できる。
【００３０】〈００２８〉表１と表３の波長を比較考察すると、表３の波長域にて、５６０ｎｍ〜６１０ｎｍの黄色領域Ｌ１は、広がり変化を生じた。
又、６１０ｎｍ〜７６０ｎｍ  Ｌ２の赤色光の波長領域にも大きく広がり変化が生じ、黄色光の波長から赤色光の波長領域に広がり変化が生じている。
赤色光の波長領域が広がる事により植物育成ともに葉体の展開スピードをもたらすことが出来る効果が生じた。
しかし、花芽形成をもたらす範囲に広がりの変化が出ており、花芽形成する赤色光線の領域は多くなり、長日性植物に影響をもたらすことになる。
しかるに、長日性植物以外の植物の種類別植物に夜間又は、暗黒時にて表３の波長を植物の上面から照射することになる。
よって、ケルダール窒素を葉体内に増加させるために良質の植物の育成植物へ夜間、暗黒時にて表３の波長を植物の上面から長時間照射することになる為に、花芽形成に影響の少ない植物の種類別の中日性植物制御方法による事になる。
但し、いちご等植物の短日条件にて花芽形成を促す時期においては、植物制御装置として利用は、不可能である。
しかし、いちご植物等の葉体の展開スピードを増加、維持する時においては、赤色光の適度な強化による、植物制御装置としての利用価値は高い。
赤色光の波長領域が適度に広がる事により植物育成ともに葉体の展開スピードをもたらすことが出来る、植物制御装置ができる。
又、表３の波長にて、夜間又は、暗黒時に長日性植物以外の植物に長時間照射し、ケルダール窒素やフェノール物質を葉体内に増加させ、病虫害防除にも寄与できる。
【００３１】上記、〈００２９〉、〈００３０〉項記載の植物の種類別植物とは、長日性植物とは、ほうれん草、レタス、キャベツ、大麦、小麦、大根、えんどう、金魚草、宿根カスミ草、アスター、ペチュニア、等である。
短日性植物とは、きく、稲、コスモス、サルビア、朝顔、いちご、等である。
中日性植物とは、ゼラニウム、シクラメン、ばら、トマト、ナス、胡瓜、とうもろこし、等である。
【００３２】当該複合光線を有するＬＥＤである、緑色光線の当該緑色ＬＥＤに対して黄色光線の当該黄色ＬＥＤの配置、設置割合は５％であり、配列にては、当該緑色ＬＥＤに対して当該黄色ＬＥＤは、５％配置割合を保持しつつ数回繰り返し置き並べられている、当該複合光線を有する表２の波長を有するＬＥＤ装置を構築した。
【００３３】又、当該複合光線を有するＬＥＤである、緑色光線の当該緑色ＬＥＤに対して黄色光線の当該黄色ＬＥＤの配置、設置割合は１０％であり、配列にては、当該緑色ＬＥＤに対して当該黄色ＬＥＤは、１０％配置割合を保持しつつ数回繰り返し置き並べられている、当該複合光線を有する表３の波長を有するＬＥＤ装置を構築した。
【００３４】当該複合光線を有するＬＥＤである緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられている。
【００３５】当該複合光線を有するＬＥＤの複合光線を有する緑色光の緑色ＬＥＤと黄色光の黄色ＬＥＤとの配置、設置割合を変える事により、長日性植物、短日性植物に当て適宜あて嵌め当該植物に夜間、暗黒時に、植物の上面より当該ＬＥＤ複合光線を長時間照射しても、花芽形成に影響少なく、植物の育成と病虫害の防除制御装置ができる．
又、ＬＥＤ分光放射測定器にての波長分析にて〈００１５〉、〈００１６〉、〈００１７〉、〈００１８〉、〈００１９〉項、記載にて比較証明が出来、ケルダール窒素増加効果のある緑色光の蛍光灯の波長に近い波長と緑色蛍光灯より照度の高く明るい当該ＬＥＤを構築した又、緑色ＬＥＤの緑色単独光よりも照度の高く、明るい当該ＬＥＤをも構築した。
【００３６】当該ＬＥＤの複合光線を利用することにより、中日性植物には、花芽形成に影響少なき波長を有する複合光線を有するＬＥＤである。
当該緑色光の緑色ＬＥＤに対して当該黄色光の黄色ＬＥＤの配置、設置割合は５％以上１０％以下である当該ＬＥＤを適合させることが出来る。
【００３７】又、当該ＬＥＤの複合光線を利用することにより、短日性植物、長日性植物、中日性植物には、花芽形成に影響少なき波長を有する複合光線を有するＬＥＤである。
当該緑色光の緑色ＬＥＤに対して当該黄色光の黄色ＬＥＤの配置、設置割合は５％以下である当該ＬＥＤを適合させることが出来る。
【００３８】所定数の緑色光のＬＥＤと黄色光のＬＥＤと赤色光のＬＥＤを配置し、点灯、消灯し、あるいは、調光をさせて複合光線の波長領域を可変可能に出来る。
【００３９】調光とは、一定範囲のＬＥＤの有効な電源電圧を変化させたり、電力量を調整したりし、照度や波長域に変化をもたらすることである。
【００４０】夜間、又は暗黒時に、植物の上面より当該ＬＥＤ複合光線を長時間照射し、フェノール物質とケルダール窒素とを増加させながら、良質な植物育成の、当該ＬＥＤ複合光線利用の植物制御装置が可能になったことが実証された。
【００３８】
【表１】
2015228864.tif 000002
【００３９】
【表２】
2015228864.tif 000003
【００４０】
【表３】
2015228864.tif 000004
【００４１】
【表４】
2015228864.tif 000005